(57)【特許請求の範囲】
【請求項１】
表面形状が全体でほぼ１つの曲率を構成するように配置された複数の操作ボタンと、前記各操作ボタンに形成された光誘導部材取付穴に、表面が前記各操作ボタン表面の曲率に合うように嵌合させた形状が相互に同一の光誘導部材とを備えた釦インジケータ装置。
【請求項２】
前記光誘導部材取付穴の前記光誘導部材に対する嵌合角度を順次変えることにより、前記各光誘導部材の表面を前記各操作ボタン表面の曲率に合わせたことを特徴とする請求項１記載の釦インジケータ装置。
【発明の詳細な説明】
【０００１】
【発明の属する技術分野】
本発明は、電子機器などにおける操作パネル上の操作ボタンに設けられた釦インジケータ装置に関する。
【０００２】
【従来の技術】
従来、この種のインジケータ装置は、操作ボタンの表面に文字記号等が表示され、これを後方から発光素子により照明したり、あるいは動作中であることを表示するためのインジケータとして、操作ボタンの表面に別部材である光誘導部材を取り付け、この光誘導部材の後方に発光素子を配置して、操作ボタンが押された場合に光誘導部材を照明していた。通常、この光誘導部材は、操作ボタンに形成された光誘導部材取付穴に嵌合させるか、または２色成形により操作ボタンと一体に形成されていた。
【０００３】
【発明が解決しようとする課題】
しかしながら、デザイン上の観点から、図３に示すように、複数の操作ボタン１から６が、その表面形状が全体でほぼ１つの曲率Ｒを構成するように分割されている場合、各操作ボタン１〜６の表面に形成されたインジケータ７も、各操作ボタン１〜６の表面形状に合せる必要がある。このような複雑な形状は、３色成形により可能であるが、量産性に問題がある。また、各操作ボタン１〜６の表面形状に合せてインジケータ７を作成し、それぞれの操作ボタン１〜６に形成された取付穴に嵌合させることもできるが、金型費用が嵩むばかりでなく、部品点数の増加およびその管理、さらには組立時の誤挿入などの問題がある。
【０００４】
本発明は、このような従来の問題を解決するものであり、表面形状が全体でほぼ１つの曲率を構成するように配置された複数の操作ボタンに、インジケータとしての光誘導部材を嵌合させた釦インジケータ装置において、各光誘導部材を共通化することにより、部品点数を削減し、コストを低減することのできる釦インジケータ装置を提供することを目的とする。
【０００５】
【課題を解決するための手段】
本発明は、上記目的を達成するために、インジケータとしての光誘導部材を共通化し、操作ボタンに形成される光誘導部材取付穴の角度を隣接する操作ボタンどうしで順次変えることにより、光誘導部材の表面を操作ボタン表面の曲率に合わせたものである。これにより、部品点数を削減でき、コストを低減することができる。
【０００６】
【発明の実施の形態】
本発明の請求項１に記載の発明は、表面形状が全体でほぼ１つの曲率を構成するように配置された複数の操作ボタンと、前記各操作ボタンに形成された光誘導部材取付穴に、表面が前記各操作ボタン表面の曲率に合うように嵌合させた形状が相互に同一の光誘導部材とを備えた釦インジケータ装置であり、部品点数を削減でき、コストを低減することができるという作用を有する。
【０００７】
本発明の請求項２に記載の発明は、前記光誘導部材取付穴の前記光誘導部材に対する嵌合角度を順次変えることにより、前記各光誘導部材の表面を前記各操作ボタン表面の曲率に合わせたことを特徴とする請求項１記載の釦インジケータ装置であり、部品点数を削減でき、コストを低減することができるという作用を有する。
【０００８】
以下、本発明の実施の形態を図面を参照して説明する。
（実施の形態）
図１は本発明の実施の形態におけるインジケータ装置の中心線ＣＬの左半分側の概略断面図、図２は同インジケータ装置の中心線ＣＬの右半分側の概略断面図である。１から６は操作ボタンであり、その表面形状が全体的に１つの曲率を構成するように中央部が凸に湾曲して構成されている。各操作ボタン１〜６に対向してキースイッチ９が図示されない基板上に配置され、各操作ボタン１〜６を押すことにより、そのステム１ａ〜６ａにより動作するようになっている。また、キースイッチ９に並んで、操作ボタン１〜６の文字を照明するためのＬＥＤ１０およびインジケータとしての光誘導部材７、８を照明するためのＬＥＤ１１が、それぞれ基板上に配置されている。
【０００９】
光誘導部材７、８は、それぞれ操作ボタン１〜６に形成された光誘導部材取付穴７１、８１に嵌合されている。光誘導部材取付穴７１、８１は、それぞれの表面側の寸法ｄ，ｆよりも裏面側の寸法ｃ，ｅが大きい成形用の抜き勾配が形成されている。そして、光誘導部材取付穴７１は、外側の操作ボタン１における基準となる中心線７０に対し、真中の操作ボタン２においては角度ａだけ外側に傾いており、内側の操作ボタン３においては、角度ａよりも大きい角度ｂだけ外側に傾いている。これにより、各光誘導部材取付穴７１に光誘導部材７を嵌合させた場合に、各光誘導部材７の表面が各操作ボタン１〜３の表面の曲率に合致するようになっている。一方、光誘導部材取付穴８１は、内側の操作ボタン４における基準となる中心線８０に対し、真中の操作ボタン５においては角度ａだけ内側に傾いており、外側の操作ボタン６においては、角度ａよりも大きい角度ｂだけ内側に傾いている。これにより、各光誘導部材取付穴８１に光誘導部材８を嵌合させた場合に、各光誘導部材８の表面が各操作ボタン４〜６の表面の曲率に合致するようになっている。
【００１０】
このように、本実施の形態によれば、表面形状が全体でほぼ１つの曲率を構成するように配置された操作ボタン１〜６に、２種類の光誘導部材７、８を、それぞれ嵌合角度を順次変えた光誘導部材取付穴７１、８１に嵌合させて、操作ボタン１〜６の表面形状に合せるようにしたので、部品点数を削減し、コストを低減することができる。
【００１１】
なお、上記実施の形態では、光誘導部材を２種類としたが、図２に示すように、中心線ＣＬに対し左右対称に構成することにより、光誘導部材を１種類とすることもできる。
【００１２】
【発明の効果】
本発明は、上記実施の形態から明らかなように、インジケータとしての光誘導部材を共通化し、操作ボタンに形成される光誘導部材取付穴の角度を隣接する操作ボタンどうしで順次変えることにより、光誘導部材の表面を操作ボタン表面の曲率に合わせることができ、部品点数を削減でき、コストを低減することができるという効果を有する。
【図面の簡単な説明】
【図１】本発明の実施の形態における釦インジケータ装置の左半分側の概略断面図
【図２】本発明の実施の形態における釦インジケータ装置の右半分側の概略断面図
【図３】（ａ）従来例における釦インジケータ装置を含む電子機器操作パネルの正面図
（ｂ）従来例における釦インジケータ装置を含む電子機器操作パネルの下面図
（ｃ）従来例における釦インジケータ装置を含む電子機器操作パネルの側面図
【符号の説明】
１、２、３、４、５、６  操作ボタン
１ａ、２ａ、３ａ、４ａ、５ａ、６ａ  操作ボタンのステム
７、８  インジケータとしての光誘導部材
９  キースイッチ
１０、１１  ＬＥＤ
７０、８０  基準となる中心線
７１、８１  光誘導部材取付穴
【図１】
0003841978.tif 000002
【図２】
0003841978.tif 000003
【図３】
0003841978.tif 000004